【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
顔料を含有する複数の水性インクで構成されるインクセットを用い、一度の走査で普通紙の単位領域に画像を記録するインクジェット記録方法であって、
前記インクセットが、第１ブラックインク及び第２ブラックインクを含むブラックインク、シアンインク、マゼンタインク、並びにイエローインクで構成され、
前記第１ブラックインクの５０ｍ秒における動的表面張力が、４５ｍＮ／ｍ以上であり、
前記第２ブラックインク、前記シアンインク、前記マゼンタインク、及び前記イエローインクの１０ｍ秒における動的表面張力が、それぞれ４０ｍＮ／ｍ以下であり、
前記シアンインク、前記マゼンタインク、及び前記イエローインクの１０ｍ秒における動的表面張力の差が、いずれの組み合わせにおいても３ｍＮ／ｍ以内であり、
前記第１ブラックインクは、ＤＢＰ吸油量が１００ｍＬ／１００ｇ以上のカーボンブラックの粒子表面にカルボン酸基及びホスホン酸基の少なくともいずれかが直接又は他の原子団を介して結合した自己分散顔料を含有し、
前記ブラックインクの付与箇所のうち、前記シアンインク、前記マゼンタインク、及び前記イエローインクの少なくともいずれかのインクの付与箇所との境界領域には、前記第２ブラックインクのみを付与する、又は、前記第１ブラックインク及び前記第２ブラックインクを付与するとともに、前記境界領域に付与する前記ブラックインクの１０ｍ秒における動的表面張力と、前記シアンインク、前記マゼンタインク、及び前記イエローインクの１０ｍ秒における動的表面張力との差を、いずれも３ｍＮ／ｍ以内とし、
前記ブラックインクの付与箇所のうち、前記境界領域以外の非境界領域には、前記第１ブラックインクのみを付与する、又は、前記第１ブラックインク及び前記第２ブラックインクを付与するとともに、前記非境界領域に付与する前記ブラックインクの５０ｍ秒における動的表面張力を、４５ｍＮ／ｍ以上とし、かつ、
前記境界領域の幅を、４０μｍ以上１３０μｍ以下とすることを特徴とするインクジェット記録方法。
【請求項２】
前記シアンインク、前記マゼンタインク、及び前記イエローインクが、樹脂分散剤で分散された樹脂分散顔料を含有する請求項１に記載のインクジェット記録方法。
【請求項３】
顔料を含有する複数の水性インクで構成されるインクセットを用い、普通紙又は光沢紙に画像を記録するインクジェット記録方法であって、
前記インクセットが、第１ブラックインク及び第２ブラックインクを含むブラックインク、シアンインク、マゼンタインク、並びにイエローインクで構成され、
前記第１ブラックインクの５０ｍ秒における動的表面張力が、４５ｍＮ／ｍ以上であり、
前記第２ブラックインク、前記シアンインク、前記マゼンタインク、及び前記イエローインクの１０ｍ秒における動的表面張力が、それぞれ４０ｍＮ／ｍ以下であり、
前記シアンインク、前記マゼンタインク、及び前記イエローインクの１０ｍ秒における動的表面張力の差が、いずれの組み合わせにおいても３ｍＮ／ｍ以内であり、
前記第１ブラックインクは、ＤＢＰ吸油量が１００ｍＬ／１００ｇ以上のカーボンブラックの粒子表面にカルボン酸基及びホスホン酸基の少なくともいずれかが直接又は他の原子団を介して結合した自己分散顔料を含有し、
前記第２ブラックインクは、ＤＢＰ吸油量が１００ｍＬ／１００ｇ以下のカーボンブラックが樹脂分散剤で分散された樹脂分散顔料を含有し、
前記シアンインク、前記マゼンタインク、及び前記イエローインクは、樹脂分散顔料を含有し、
一度の走査で普通紙の単位領域に画像を記録する場合には、
前記ブラックインクの付与箇所のうち、前記シアンインク、前記マゼンタインク、及び前記イエローインクの少なくともいずれかのインクの付与箇所との境界領域には、前記第２ブラックインクのみを付与する、又は、前記第１ブラックインク及び前記第２ブラックインクを付与するとともに、前記境界領域に付与する前記ブラックインクの１０ｍ秒における動的表面張力と、前記シアンインク、前記マゼンタインク、及び前記イエローインクの１０ｍ秒における動的表面張力との差を、いずれも３ｍＮ／ｍ以内とし、
前記ブラックインクの付与箇所のうち、前記境界領域以外の非境界領域には、前記第１ブラックインクのみを付与する、又は、前記第１ブラックインク及び前記第２ブラックインクを付与するとともに、前記非境界領域に付与する前記ブラックインクの５０ｍ秒における動的表面張力を、４５ｍＮ／ｍ以上とし、かつ、
前記境界領域の幅を、４０μｍ以上１３０μｍ以下とし、
光沢紙に画像を記録する場合には、
前記ブラックインクの付与箇所には、前記第２ブラックインクのみを付与することを特徴とするインクジェット記録方法。
【請求項４】
光沢紙に画像を記録する場合には、複数回の走査で光沢紙の単位領域に画像を記録する請求項３に記載のインクジェット記録方法。
【請求項５】
前記第１ブラックインクの５０ｍ秒における動的表面張力が、４９ｍＮ／ｍ以上である請求項１乃至４のいずれか１項に記載のインクジェット記録方法。
【請求項６】
前記第１ブラックインクが、さらに、アルカリ金属イオン、アンモニウムイオン、及び有機アンモニウムイオンからなる群から選ばれる少なくとも１種のカチオンと、Ｃｌ−、Ｂｒ−、Ｉ−、ＣｌＯ−、ＣｌＯ２−、ＣｌＯ３−、ＣｌＯ４−、ＮＯ２−、ＮＯ３−、ＳＯ４２−、ＣＯ３２−、ＨＣＯ３−、ＨＣＯＯ−、（ＣＯＯ−）２、ＣＯＯＨ（ＣＯＯ−）、ＣＨ３ＣＯＯ−、Ｃ２Ｈ４（ＣＯＯ−）２、Ｃ６Ｈ５ＣＯＯ−、Ｃ６Ｈ４（ＣＯＯ−）２、ＰＯ４３−、ＨＰＯ４２−、及びＨ２ＰＯ４−からなる群から選ばれる少なくとも１種のアニオンと、が結合して構成される塩を含有する請求項１乃至５のいずれか１項に記載のインクジェット記録方法。
【請求項７】
シリアル方式の記録ヘッドを搭載した記録装置を用いて画像を記録する請求項１乃至６のいずれか１項に記載のインクジェット記録方法。
【手続補正２】
【補正対象書類名】明細書
【補正対象項目名】００４２
【補正方法】変更
【補正の内容】
【００４２】
Ｂｋ２インク、Ｃインク、Ｍインク、及びＹインクは、いずれも、自己分散顔料を含有してもよく、樹脂分散顔料を含有してもよい。但し、普通紙だけでなく、光沢紙にも画像を記録することを考慮する場合、Ｂｋ２インク、Ｃインク、Ｍインク、及びＹインクは、樹脂分散剤で分散された樹脂分散顔料を含有する必要がある。さらに、Ｂｋ２インクは、ＤＢＰ吸油量が１００ｍＬ／１００ｇ以下のカーボンブラックが樹脂分散剤で分散された樹脂分散顔料を含有する必要がある。そして、光沢紙に画像を記録する場合には、Ｂｋインクの付与箇所にはＢｋ２インクのみを付与し、Ｂｋ１インクを付与しない（Ｂｋ１インクを使用しない）。Ｂｋ１インクには、ＤＢＰ吸油量が１００ｍＬ／１００ｇ以上のカーボンブラックを用いた自己分散顔料が含有されている。このため、Ｂｋ１インクを光沢紙に付与すると、光沢感が失われたブラック画像が記録されることとなる。
【手続補正３】
【補正対象書類名】明細書
【補正対象項目名】００６６
【補正方法】変更
【補正の内容】
【００６６】
本発明のインクジェット記録方法により画像を記録する対象とする記録媒体としては、どのようなものを用いてもよい。普通紙は、コート層を有しない記録媒体であり、その表面に記録媒体を構成するセルロースが存在する。普通紙に画像を記録する場合には記録速度が重視されるため、単位領域へのインクの付与を、記録ヘッドと普通紙の一度の相対走査において行う１パス記録とする。また、光沢紙は、コート層を有する記録媒体であり、その表面には光沢を呈するインク受容層が形成されている。「光沢」の範囲は、目視で光沢感が感じられればよく、例えば、２０°光沢度（ＪＩＳ  Ｋ５６００）が２０以上である光沢性を有する光沢紙を用いることが好ましい。光沢紙に画像を記録する場合、単位領域へのインクの付与は、記録ヘッドと光沢紙の一度の相対走査において行う１パス記録、及び記録ヘッドと光沢紙の複数回の相対走査において行うマルチパス記録のいずれであってもよい。但し、通常、光沢紙に記録する画像は高精細であることが重視されるため、マルチパス記録とすることが好ましい。